(57)【要約】【課題】  防水可能な充電式電気製品を充電する時に発生する気体への引火により生じる爆裂問題を防止する防水可能な充電式電気製品の防爆構造を提供する。【解決手段】  カバー体１０と、該カバー体１０の内部空間に収容される回路板と、該回路板と電気接続される充電式バッテリー１１とを備え、該カバー体１０は外界と完全に隔離状態で防水効果を達成する防水可能な充電式電気製品であって、前記充電式バッテリー１１と対応するカバー体１０に内外に連通する複数の貫通孔１２が形成され、これら貫通孔１２の口径を気体分子のサイズより大きくかつ水分子のサイズより小さい直径寸法に形成した。【選択図】  図１
0003128239.tif 000002
【実用新案登録請求の範囲】
【請求項１】
カバー体と、該カバー体の内部空間に収容される回路板と、該回路板と電気接続される充電式バッテリーとを備え、該カバー体は外界と完全に隔離状態で防水性を有する防水可能な充電式電気製品であって、
前記充電式バッテリーと対応する前記カバー体に、該カバー体の内外と連通する複数の貫通孔が形成され、これら貫通孔の口径寸法は、気体分子のサイズより大きいと共に、水分子のサイズより小さいことを特徴とする防水可能な充電式電気製品の防爆構造。
【請求項２】
前記貫通孔を形成するカバー体の外表面に、防水性及び通気性を有する防水通気フィルムが設けられ、該防水通気フィルムに、気体分子のサイズより大きいと共に、水分子のサイズより小さい口径寸法を有する孔が形成され、該孔はカバー体における貫通孔と対応するようにして設けたことを特徴とする請求項１に記載の防水可能な充電式電気製品の防爆構造。
【考案の詳細な説明】
【技術分野】
【０００１】
本考案は、特に、防水可能な充電式電気製品を充電する時に発生する気体への引火により爆裂問題が発生することを防止する防水可能な充電式電気製品の防爆構造に関するものである。
【背景技術】
【０００２】
一般の電気製品は、使用上の利便性や繰返しの使用を可能とするために、或いは更に大量の電池を使用することによる環境汚染問題を解消するために、防水構造の製品カバー体を採用して該カバー体の内部に充電式バッテリーを設けることにより、防水及び充電効果を達成できるようにしている。このような電気製品には、例えば、電気髭剃り、電気かみそり、電動歯ブラシ、あるいは携帯電話機等がある。
【考案の開示】
【考案が解決しようとする課題】
【０００３】
しかしながら、前記電気製品に充電する際、電気化学反応によって例えば水素などの気体が発生するが、電気製品のカバー体は完全な密閉構造であるため、気体をカバー体の外側へ排出することができない構成となっている。
【０００４】
従って、発生する気体が、例えば水素である場合、電気製品を使用する際に発生する微量の火花によって発火して電気製品が爆裂することがあるので、非常に危険である。
【０００５】
そこで、案出されたのが本考案であって、防水可能な充電式電気製品を充電する時に発生する気体による爆裂問題を防止する防水可能な充電式電気製品の防爆構造を提供することを目的としている。
【課題を解決するための手段】
【０００６】
本願の請求項１の考案は、カバー体と、該カバー体の内部空間に収容される回路板と、該回路板と電気接続される充電式バッテリーとを備え、該カバー体は外界と完全に隔離状態で防水性を有する防水可能な充電式電気製品であって、
前記充電式バッテリーと対応する前記カバー体に、該カバー体の内外と連通する複数の貫通孔が形成され、これら貫通孔の口径寸法は、気体分子のサイズより大きいと共に、水分子のサイズより小さいことを特徴とする防水可能な充電式電気製品の防爆構造を提供する。
【０００７】
本願の請求項２の考案は、請求項１に記載の防水可能な充電式電気製品の防爆構造において、前記貫通孔を形成するカバー体の外表面に、防水性及び通気性を有する防水通気フィルムが設けられ、該防水通気フィルムに、気体分子のサイズより大きいと共に、水分子のサイズより小さい口径寸法を有する孔が形成され、該孔はカバー体における貫通孔と対応するようにして設けたことを特徴とする。
【考案の効果】
【０００８】
本考案は上記の課題を解決するものであり、充電式バッテリーと対応するカバー体に複数の貫通孔が形成され、これらの貫通孔の口径寸法は、気体分子のサイズより大きいと共に、水分子のサイズより小さいことにより、充電時に発生する気体が貫通孔を通じてカバー体の外側へ排出することができ、一方、水がカバー体の内部に進入することができない構成としたので、安全な防水及び充電効果を達成できる。
【考案を実施するための最良の形態】
【０００９】
以下、添付図面を参照して本考案の好適な実施の形態を詳細に説明する。
【００１０】
尚、以下の実施例は、本考案の好適な実施の形態を示したものにすぎず、本考案の技術的範囲は、以下の実施例そのものに何ら限定されるものではない。
【実施例１】
【００１１】
図１は本考案に係る防水可能な充電式電気製品の防爆構造の第１実施例を示す斜視図であり、図２は本考案に係る防水可能な充電式電気製品の防爆構造の第１実施例を示す部分拡大断面図であり、図３は本考案に係る防水可能な充電式電気製品の防爆構造の第２実施例を示す部分拡大断面図である。
【００１２】
図１及び図２に示すように、防水可能な充電式電気製品として電気かみそりを例にして本考案の実施形態を説明する。
【００１３】
本考案に係る防水可能な充電式電気製品１は、カバー体１０と、該カバー体１０の内部空間に収容される回路板（符号なし）と、該回路板と電気接続される充電式バッテリー１１とを備える。該カバー体１０は外界と完全に隔離状態で防水効果を達成する防水可能な充電式電気製品１であって、前記充電式バッテリー１１と対応するカバー体１０には、該カバー体１０の内外に連通する複数の貫通孔１２が形成され、これらの貫通孔１２の口径寸法は、気体分子のサイズより大きいと共に、水分子のサイズより小さい形状としてある。
【００１４】
前記カバー体１０に形成された貫通孔１２の口径は、気体分子のサイズより大きいと共に、水分子のサイズより小さいので、充電時に発生して前記カバー体１０内に充満する気体を、前記貫通孔１２を通して前記カバー体１０の外側へ排出することができる。
【００１５】
一方、水分子のサイズは貫通孔１２の口径より大きいため、水がカバー体１０の内部に進入することができないので、安全な防水効果を達成できる。
【実施例２】
【００１６】
図３に示すように、本考案に係る防水可能な充電式電気製品の防爆構造の第２実施例は、上記実施例１と殆ど等しく、異なるのは、貫通孔１２を形成するカバー体１０の外側に、更に防水及び通気効果を有する防水通気フィルム１３を設けた構成としたものである。
【００１７】
該防水通気フィルム１３には、気体分子のサイズより大きくかつ水分子のサイズより小さい口径寸法を有する孔１４が形成されている。該フィルム１３の孔１４をカバー体１０における貫通孔１２と対応させてフィルム１３を接着等の手段により貼着することにより、前記実施例１と等しい効果を達成できると共に、該防水通気フィルム１３によって覆われた充電式電気製品のカバー表面の損傷並びに化粧効果を達成することができる。
【産業上の利用可能性】
【００１８】
本考案は上記の構成を有し、充電式バッテリーと対応するカバー体に複数の貫通孔が形成され、これらの貫通孔の口径寸法は、気体分子のサイズより大きいと共に、水分子のサイズより小さいことにより、充電時に発生する気体を貫通孔を通してカバー体の外側へ排出することができ、一方、水がカバー体の内部に進入することができないので、安全な防水及び充電時の防爆効果を達成できる。
【図面の簡単な説明】
【００１９】
【図１】本考案に係る防水可能な充電式電気製品の防爆構造の第１実施例を示す斜視図である。
【図２】本考案に係る防水可能な充電式電気製品の防爆構造の第１実施例を示す部分拡大断面図である。
【図３】本考案に係る防水可能な充電式電気製品の防爆構造の第２実施例を示す部分拡大断面図である。
【符号の説明】
【００２０】
１０    カバー体
１１    充電式バッテリー
１２    貫通孔
１３    防水通気フィルム
１４    孔
【図１】
0003128239.tif 000003
【図２】
0003128239.tif 000004
【図３】
0003128239.tif 000005